(57)【要約】      （修正有）【課題】床に座って使う炬燵より脚が長い炬燵を使用するとき個人用椅子の前に置いて使うと、椅子の下部や横部からの冷気の侵入を防ぎ、暖気を逃がさず効率的な生活が出来る個人用椅子の簡易保温具を提供する。【解決手段】個人用椅子１の巾に合わせてＬ型底棒４を左右それぞれ背を向けてＬ型の曲がった部分を前面にして置き、そのＬ型底棒の中程上面に棒固定具を取り付けコ型縦棒を縦にして曲がった一方を取付け、他方の上部の内面に棒固定具を付け、コ型縦棒の上部側の先部を後方とその端部を外側に曲げて取り付ける。また左右のＬ型底棒の内面の中程に棒固定具を取り付けコ型横繋棒を付け、さらに左右それぞれのコ型縦棒の上部に付けた棒固定具にコ型横繋棒を取付け固定する。次にこの上下それぞれ付けたコ型横繋棒の中程に向き合う面に棒固定具を付けてＺ型縦棒を取付けて固定して棒の組立てが終わる。次にＬ型底棒の前部の巾一杯に布１３を取り付け、固定して完了する。【選択図】図３
0003199577.tif 000002
【実用新案登録請求の範囲】
【請求項１】
個人椅子の前に置いて使うもので、Ｌ型底棒を椅子の巾に合わせて左右それぞれ背を向けてＬ型の曲がた部分を前面にして置き、そのＬ型底棒の中程上面にコ型棒を縦にして曲がった１方を取付ける、他方の上になった端部の一部分を外側に曲げそこに怪我防止の為収縮材を付ける、また左右それぞれのＬ型底棒の中程の内面にコ型繋棒を取付け固定する事と、左右それぞれのコ型縦棒の頭部にもコ型繋棒を取付け固定する、この上下それぞれのコ型横繋棒の中程にＺ型縦棒を取付け組立てが完了する、次にＬ型底棒の前部に布をＬ型の巾いっぱいに取付け、下部に取り付けたコ型横繋棒にそって上部に取り付けたコ型横繋棒まで持ち上げて取付け皺のないように張って固定する、これを椅子の前に置きダイニング炬燵を使用すれば椅子下部や横部からの冷気の侵入を防ぎ、暖気を逃がさず効果的な生活が出来る簡易保温具であり、各棒の取付け部分に棒がはめ込めるようにパイプ類のものを使用すれば便利である。
【請求項２】
前記したように個人用椅子簡易保温具が、これは長椅子用として使うもので、左右のＬ型底棒を腰巾より広めにして置き、中程にコ型縦棒を縦にして曲った１方を取付け、他上端の上部をそれぞれ横側に曲げその端部に収縮材を付ける、他は全て前記と同じに取付け固定して、布も同様に取り付け使用すれば、長椅子用として利用できる事を特長とする請求項１に記載の簡易保温具。
【考案の詳細な説明】
【考案の詳細な説明】
【技術分野】
【０００１】  この考案は前記したように棒をそれぞれ規定の寸法に切断、加工して、棒の規定のカ所に規定長さに切断したパイプ類のようなものを取付け、それぞれを組立て固定して布を貼り付けて、簡単に組み立てや解体が出来、持ち運びも便利で個人用椅子や長椅子用の前に置いて使用し、各椅子の高さに合うダイニング炬燵を寒冷期に利用すれば、椅子の下部や横部から入ってくる冷気を防ぎ、暖気を逃がさないで、部屋の温度を抑えて過ごせるので、経費を節約できる簡易保温具。
【背景技術】
【０００２】  従来は椅子の素材にマジックテープ等を付けた方法で使用していたが、各椅子の材質や形が多種多様になり、椅子の素材に直接つけて使用するという訳にゆかなくなってきた事と、現在では生活様式も変わり欧米化が進んでまいりましたので、それに合うような様式を考えるにいたった。
【考案の概要】
【考案が解決しようとする課題】
【０００３】  現在の炬燵は床に座って使用しているのが一般的ですが、近年は応接セットを使用している家庭が多くをしめるようになってきました、それで応接用椅子に合った高さのダイニング炬燵を使うようにすれば大変便利です、個人椅子用、長椅子用を使い椅子の下部や横部からの隙間からの冷気を入らないように、又暖気を逃がさないようにしたら良いので、これを提供することを目的とする。
【課題を解決するための手段】
【０００４】  応接椅子の形も多種あるので、それに合うように底部、縦部、横繋部、中縦部それぞれの棒を規定の寸法に切断加工し、取り付け部分にパイプ類を取り付けると、組み立て解体が簡単に出来る事によって、持ち運びが便利で、利用したい場所で使用できるので経済的にも価値があると思います。【０００５】  各棒を組み立て完了したら、Ｌ型底棒の前面に布を取り付け、下部コ型繋棒に添って上部コ型横繋棒に取り付ける、また上部コ型縦棒のそれぞれ両端を曲げた所に収縮材を取付け、怪我防止剤を取りける。
【考案の効果】
【０００６】  以上説明したように、この考案によって、いままで床の上に座って炬燵に入っていた生活環境を変えて、ダイニング炬燵と応接椅子の前にこの保温具を設置して生活することによって、足腰の弱い人や年配の方達が立ち上がる辛さを解決し、また室温もそれなりに高温にしなくても良く、電力消費も節約できて大変便利な効果を発揮できる簡易保温具です。
【図面の簡単な説明】
【図１】これは個人用椅子の保温器具の棒を組立てた斜面図です。
【図２】これは長椅子用の保温器具の棒を組立てた斜面図です。
【図３】これは個人用椅子の保温器具の棒を組立てた上に布を取付けた斜面図です。
【図４】これは長椅子用の保温器具の棒を組立てた上に布を取付けた正面図です。
【考案を実施するための形態】
【０００７】  以下、この考案の実施の形態を添付図面に基づいて説明する。
図１は個人用椅子１の斜面図で、左Ｌ型底棒４と右Ｌ型底棒３を背合わせるように配置し、その中間点の上面にパイプ類１０を付け、左コ型縦棒６を付け右コ型縦棒５を付ける、また左Ｌ型底棒４の中間点の内面にパイプ類１０を付け、右Ｌ型底簿３の中間点の内面にパイプ類１０を付け、そこに下部コ型横繋棒７を付ける、左コ型縦棒６の上部にパイプ類１０を付け、また右コ型縦棒５の上部にパイプ類１０を付けそこに上部コ型横繋棒８を付ける、下部コ型横繋棒７の中間点にパイプ類１０を付け、また上部コ型横繋棒８の中間点にパイプ類１０を付けＺ型中縦棒９を付ける、左右のコ型縦棒６，７を曲げた端には怪我防止用の収縮愛１１をつける、次に左右Ｌ型底棒３，４に絡んで布１３を付け下部横繋棒７に絡ませて上部横繋棒８に取り付けて、ダイニング炬燵１５と併用して使用すれば簡易保温具になります、図３はこの完成図です。
【０００８】  図２は長椅子用２の斜面図です、この取付けで左右のコ型縦棒５，６の上部をそれぞれ外横側に曲げる、これだけが違っておりその他の取り付けは前記と全く同じです、左右コ型縦棒５、６の上部の曲げた端部にも怪我防止用収縮材１２を取り付けます、組み立てが完了したら布１４も同じく取り付け完了し出来上がったところです、ダイニング炬燵と併用して使用することで簡易保温具になります、図４はこの完成図です。
【実施例】
【０００９】  以前に書きましたが、生活様式が欧米式になってきましたので、椅子の素材にマジックテープを付けて、それに布を付けて炬燵を使用していましたが、椅子の下部や横部からの冷気の侵入を防止し暖気を逃がさず、電力も節約していました、その後椅子の材質も多種多様になり、直接マジックテープを取付けて使用出来なくなったので、この簡易保温具を製作して使用しても以前と変わらない成果が得られ、足腰の弱い人や年配の人には苦もなく立ち上がる事が出来るので大変貴重な簡易保温具です。
【符号の説明】  １  応接個人用椅子
２  応接長椅子
３  右底棒
４  左底棒
５  右縦棒
６  左縦棒
７  下部横繋棒
８  上部横繋棒
９  中縦繋棒
１０  パイプ類
１１  収縮材
１２  収縮材
１３  布
１４  布
１５  ダイニング炬燵
【図１】
0003199577.tif 000003
【図２】
0003199577.tif 000004
【図３】
0003199577.tif 000005
【図４】
0003199577.tif 000006
【手続補正書】
【提出日】平成27年6月22日(2015.6.22)
【手続補正１】
【補正対象書類名】実用新案登録請求の範囲
【補正対象項目名】全文
【補正方法】変更
【補正の内容】
【実用新案登録請求の範囲】
【請求項１】
床に座って使う炬燵より脚が長い炬燵に、個人用応接椅子を使用する場合に、その椅子の前に置いて使用し、椅子の下部や横部からの冷気の侵入を防ぐ事を目的として使うもので、これは椅子の巾に合わせてＬ型底棒を左右それぞれ背を向けてＬ型の曲がった部分を前面にして置き、その左Ｌ型底棒の中程上面に棒固定具を取り付けコ型縦棒を縦にして曲がった一方を取付け、他方の上部の内面に棒固定具を付け、コ型縦棒の上部側の先部を後方とその端部を外側に曲げて取り付け、そこの端部に怪我防止の為に収縮材を付ける、また右Ｌ型底棒の中程上面に棒固定具を取り付けコ型縦棒を縦にして曲がった一方を取り付け他方の上部の内面に棒固定具を付け、コ型縦棒の上部側の先部を後方とその端部を外側に曲げて取り付け、そこにも怪我防止の為に収縮材を付ける、また左右のＬ型底棒の内面の中程に棒固定具を取り付けコ型横繋棒を付け、さらに左右それぞれのコ型縦棒の上部に付けた棒固定具にコ型横繋棒を取付け固定する、次にこの上下それぞれ付けたコ型横繋棒の中程に向き合う面に棒固定具を付けてＺ型縦棒を取付けて固定して棒の組立てが終わる、次にＬ型底棒の前部の巾一杯に布を取り付け、左右のＬ型底棒の中程の内面に付けたコ型横繋棒に添って付け前にずれないように止め更に、コ型縦棒上部に付けたコ型横繋棒に取り付け固定して完了する、これを床に座って使う炬燵より脚が長い炬燵を使用するとき個人用椅子の前にこの簡易保温具を置いて使うと、椅子の下部や横部からの冷気の侵入を防ぎ、暖気を逃がさず効率的な生活が出来る個人用椅子の簡易保温具。
【請求項２】
これは床に座って使う炬燵より脚が長い炬燵を使用する時に長椅子の前に置いて使用するもので、これはＬ型底棒を腰より広めに左右それぞれ背を向けてＬ型の曲がった部分を前面にして置き、その左Ｌ型底棒の中程上面につけた棒固定具にコ型縦棒を縦にして曲った一方を取付け、他方の上部内面に棒固定具を取り付け、コ型縦棒の上部側の端部を外横側に曲げその端部に怪我防止の為に収縮材を付ける、また右Ｌ型底棒の中程上面に付けた棒固定具にコ型縦棒を縦にして曲った一方を取り付け、他方の上部内面に棒固定具を取り付け、コ型縦棒の上部側の端部を外横側に曲げその端部に怪我防止の為に収縮材を付ける、また左右のＬ型底棒の内面の中程に棒固定具を取り付けコ型横繋棒を付け、さらに左右それぞれのコ型縦棒の上部に付けた棒固定具にコ型横繋棒を取り付け固定する、次にこの上下それぞれ付けたコ型横繋棒の中程に向き合う面に棒固定具を付けＺ型縦棒を取り付けて固定して棒の組み立てが終わる、次に布の取り付けもＬ型底棒の前部から、左右のＬ型底棒の中程の取り付けたコ型横繋棒にそって取り付け更に上部に取り付けたコ型横繋棒に取り付け固定して完了する、これを床に座って使う炬燵より脚が長い炬燵を使用するとき長椅子の前にこの簡易保温具を置いて使うと、椅子の下部や横部からの冷気侵入を防ぎ、暖気を逃がさず効率的な生活が出来る長椅子用の簡易保温具。
【手続補正２】
【補正対象書類名】明細書
【補正対象項目名】全文
【補正方法】変更
【補正の内容】
【考案の詳細な説明】
【考案の詳細な説明】
【技術分野】
【０００１】  この考案は前記したように、床に座って使う炬燵より脚の長い炬燵を使用する時、応接個人用椅子や長椅子の前に置いて使用するもので、棒をそれぞれ規定の寸法に切断加工して各棒の規定のカ所に棒固定具を取り付け、それぞれの棒を組み立て固定して、次に左右のＬ型底部棒の曲がった部分から布を取り付けてＬ型底部棒の中程内面につけた棒固定具に、コ型横繋棒を取り付けそれに添わせながらコ型縦棒の上部内面に付けた棒固定具にコ型横繋棒を付け、そこに布を取り付け固定して完了する、簡単に組み立てや解体が出来、持ち運びも便利で個人用椅子や長椅子用の前に置いて利用すれば、椅子の下部や横部から入ってくる冷気を防ぎ、暖気を逃がさないで、部屋の温度を抑えて過ごせるので、経費を節約にもなる簡易保温具である。
【背景技術】
【０００２】  従来は床に座って使う炬燵より脚の長い炬燵を使用する時に応接椅子を使用して椅子の素材の規定ヵ所にマジックテープ等を付け、布にもマジックテープ等を付けて使用して固定していたが、各椅子の材質や形が多種多様になり、椅子の素材に布を直接つけて使用する事が出来なくなったので、椅子の前にこの簡易保温具を置いて使用したが、椅子の下部や横部からの冷気の侵入を防ぐ事が出来る、現在では生活様式も変わり欧米化が進んできたので、部屋で応接椅子の使用する事が多くなり、脚の長い炬燵を寒い期間使用する事が日常的になってきたので、それに見合うような生活様式を考案するにいたった。
【考案の概要】
【考案が解決しようとする課題】
【０００３】  現在の炬燵は床に座って使用しているのが一般的ですが、近年は応接セットを使用している家庭が多くなってきました、それで寒い期間は応接用椅子に合った高さの脚の長い炬燵を使うようにすれば大変便利です、その場合はそれぞれの椅子の前にそれぞれに合った簡易保温具を使用すれば、下部や横部からの隙間からの冷気の侵入は無くなり、又暖気を逃がさないので室温もそれ程高温にしなくても日常生活が営む事が出来る為の簡易保温具である。
【課題を解決するための手段】
【０００４】  応接椅子の形も多種あるので、それに合うように底部、縦部、横繋部、中縦部それぞれの棒を規定の寸法に切断加工し、各棒と棒との取り付け部分に棒固定具を取り付けて棒を組み立てや組外しが簡単に出来る事によって、持ち運びが便利で、利用したい場所に持参して使用できるので経済的にも価値がある簡易保温具である。【０００５】  各棒を組み立て完了したら、布をＬ型底棒の曲がった部分の前面に取り付け、Ｌ型底棒の中程に付けた下部コ型横繋棒に添って止めながらコ型縦棒の上部に付けたコ型横繋棒に布を取り付け固定する、また布の取り付け部分にはマジックテープを使用する事によって、すばやい取り付け取り外しが出来る、上部コ型縦棒のそれぞれ両端を外や横に曲げた先端部に怪我防止の為収縮材を取付ける事により安全性を高められる簡易保温具である。
【考案の効果】
【０００６】  以上説明したように、この考案によって、いままで床の上に座って炬燵に入っていた生活環境を変えて、脚の長い炬燵を使用する時は応接椅子の前にこの保温具を設置して生活することによって、足腰の弱い人や年配の方達は椅子に腰かける事により、立ち上がる辛さを解決出来、椅子の下部や横部からの冷気の侵入もなく、また室温もそれなりに高温にしなくても良く、電力消費も節約できて大変便利な効果を発揮できる簡易保温具である。
【図面の簡単な説明】
【図１】これは個人椅子用の保温器具の棒を組立てた斜面図です。
【図２】これは長椅子用の保温器具の棒を組立てた斜面図です。
【図３】これは個人椅子用の保温器具の棒を組立てた上に布を取付けた斜面図です。
【図４】これは長椅子用の保温器具の棒を組立てた上に布を取付けた正面図です。
【考案を実施するための形態】
【０００７】  以下、この考案の実施の形態を添付図面に基づいて説明する。
図１は個人用椅子１の斜面図で、左Ｌ型底棒４と右Ｌ型底棒３を背合わせるように配置し、その中間点の上面に棒固定具１０を付け、左コ型縦棒６を付け右コ型縦棒５を付ける、また左Ｌ型底棒４の中間点の内面に棒固定具１０を付け、右Ｌ型底棒３の中間点の内面に棒固定具１０を付け、そこに下部コ型横繋棒７を付ける、左コ型縦棒６の上部に棒固定具１０を付け、また右コ型縦棒５の上部に棒固定具１０を付けそこに上部コ型横繋棒８を付ける、下部コ型横繋棒７の中間点に棒固定具１０を、また上部コ型横繋棒８の中間点に棒固定具１０をそれぞれ向い合せに付けＺ型中縦棒９を付ける、左右のコ型縦棒６，７を曲げた端には怪我防止用の収縮愛１１をつける、次に左右Ｌ型底棒３，４に絡んで布１３を取り付け下部横繋棒７に絡ませて上部横繋棒８に取り付けて、脚の長い炬燵１５と併用して椅子の前に置いて使用する簡易保温具になります、図３はこの完成図です。
【０００８】  図２は長椅子用２の斜面図です、この取付けで左右のＬ型底棒３，４を腰の巾より広めに配置しその中程の上面に付けたコ型縦棒５，６の上部をそれぞれ外横側に曲げて取り付ける事だけが個人用椅子１との違いで、その他の取り付けは前記と全く同じです、また左右コ型縦棒５−１、６−１の上部の曲げた端部にも怪我防止用収縮材１２を取り付ける、組み立てが完了したら布１４も同じくＬ型底棒３，４の曲がった部分の先端に取り付けＬ型底棒３，４の中程につけたコ型繋棒７に添ってコ型縦棒５−１，６−１の上部に付けたコ型横繋棒８に取り付け固定して完了したところです、脚の長い炬燵１５と併用して椅子の前に置いて使用する長椅子用簡易保温具になります、図４はこの完成図です。
【実施例】
【０００９】  以前に記しましたが、生活様式が欧米式になってきて、はじめは脚の長い炬燵を使用する時に応接椅子の素材の規定ヵ所にマジックテープを付け、かつ保温用の布にもマジックテープを付けて、利用していましたが、応接椅子の素材も多種になり直接素材にマジックテープを取付けて使用出来なくなったので、この簡易保温具を製作して応接椅子の前に置いて使用する様になりましたが、はじめの時の方法と変わらない成果が得られ、椅子の下部や横部からの冷気の侵入もなく節電の効果もあらわれ、また足腰の弱い人や年配の人には椅子に腰かけるので楽に立ち上がる事が出来るので大変貴重な簡易保温具である。
【符号の説明】  １  応接個人椅子
２  応接長椅子
３  Ｌ型右底棒
４  Ｌ型左底棒
５  個人用Ｌ型右縦棒
６  個人用Ｌ型左縦棒
５−１  長椅子用Ｌ型右縦棒
６−１  長椅子用Ｌ型左縦棒
７  下部横繋棒
８  上部横繋棒
９  中縦繋棒
１０  棒固定具
１１  個人椅子用収縮材
１２  長椅子用収縮材
１３  個人椅子用布
１４  長椅子用布
１５  脚の長い炬燵
【手続補正３】
【補正対象書類名】図面
【補正対象項目名】図２
【補正方法】変更
【補正の内容】
【図２】
0003199577.tif 000007
【手続補正４】
【補正対象書類名】図面
【補正対象項目名】図４
【補正方法】変更
【補正の内容】
【図４】
0003199577.tif 000008